(57)【要約】【課題】意匠性の高い外観を形成しやすい建築板の施工構造を提供する。【解決手段】複数の建築板１０が鎧張り施工された建築板の施工構造に関する。建築板１０で覆われていない露出部３０に化粧カバー材２０が設けられている。【選択図】図１
2019078091.tif 000002
【特許請求の範囲】
【請求項１】
複数の建築板が鎧張り施工された建築板の施工構造において、
前記建築板で覆われていない露出部に化粧カバー材が設けられている
建築板の施工構造。
【請求項２】
請求項１において、
前記露出部が左右に複数に分割されて複数の分割部が形成されており、
前記複数の分割部の少なくとも一つに前記化粧カバー材が設けられている
建築板の施工構造。
【請求項３】
請求項１又は２において、
前記化粧カバー材が前記露出部と同形状部分を有し、該同形状部分で前記露出部をカバーする
建築板の施工構造。
【請求項４】
請求項１乃至３のいずれか一項に記載された建築板の施工構造に用いられる化粧カバー材であって、
前記露出部を覆うカバー部を備えている
化粧カバー材。
【発明の詳細な説明】
【技術分野】
【０００１】
本発明は、建築板の施工構造及び化粧カバー材に関する。詳しくは、建築板が鎧張りされた施工構造及びそれに使用される化粧カバー材に関する。
【背景技術】
【０００２】
従来、壁材や屋根材などの建築板を鎧張りすることが行われている。鎧張りは、複数枚の建築板を上下に複数段に順次並べて配置するものであって、上段の建築板の下部を下段の建築板の上部の表面に重ねるようにする。そして、上下多段に並んだ複数枚の建築板により、建物の屋根面や壁面などが形成される。
【先行技術文献】
【特許文献】
【０００３】
【特許文献１】特開２０１５−１７２２９７号公報
【発明の概要】
【発明が解決しようとする課題】
【０００４】
このように鎧張りにより形成された建築板の施工構造において、屋根面や壁面の外観に変化を持たせて意匠性を高くすることが望まれている。
【０００５】
本発明は上記の点に鑑みてなされたものであり、意匠性の高い外観を形成しやすい建築板の施工構造及び化粧カバー材を提供することを目的とする。
【課題を解決するための手段】
【０００６】
本発明の一態様に係る建築板の施工構造は、複数の建築板が鎧張り施工された建築板の施工構造において、前記建築板で覆われていない露出部に化粧カバー材が設けられていることを特徴とする。
【０００７】
本発明の一態様に係る化粧カバー材は、前記建築板の前記施工構造に用いられる化粧カバー材であって、前記露出部を覆うカバー部を備えていることを特徴とする。
【発明の効果】
【０００８】
本発明では、化粧カバー材が設けられた分割部における外観が、他の分割部における外観と異なり、色々なバリエーションの意匠を簡単に形成可能であり、意匠性の高い外観を形成しやすい建築板の施工構造を提供することができる。
【図面の簡単な説明】
【０００９】
【図１】図１は、本発明に係る建築板の施工構造の一実施の形態を示す斜視図である。
【図２】図２は、本発明で使用する建築板の一例を示す正面図である。
【図３】図３Ａは、本発明に係る化粧カバー材の一実施の形態を示す正面図である。図３Ｂは、同上の化粧カバー材の側面図である。図３Ｃは、図３ＡのＡ−Ａ線断面図である。図３Ｄは、図３Ｂの上端部の拡大図である。
【図４】図４Ａ及び図４Ｂは、本発明に係る建築板の施工構造の施工途中の一実施の形態を示す斜視図である。
【図５】図５は、本発明に係る化粧カバー材の他の一実施の形態を示す正面図である。
【図６】図６Ａ及び図６Ｂは、本発明に係る建築板の施工構造の施工途中の一実施の形態を示す斜視図である。
【図７】図７は、本発明に係る化粧カバー材の他の一実施の形態を示す正面図である。
【発明を実施するための形態】
【００１０】
以下、本発明を実施するための形態を説明する。
【００１１】
＜概要＞
図１は本実施形態の建築板の施工構造の一例である建物の外壁を示している。この施工構造は建物の外壁であって、複数の建築板１０と複数の化粧カバー材２０とを備えている。この施工構造では、上下に隣接する建築板１０において、上側の建築板１０の下部が下側の建築板１０の上部の表面に重ねられて鎧張り施工されているが、下側の建築板１０において、上側の建築板１０で覆われない部分は、露出部３０として形成されている。この露出部３０は、下側の建築板１０の曝露部１１で横長に形成されている。また、露出部３０は切欠部１３により左右に複数に分割されており、これにより、複数の分割部３１が形成されている。そして、化粧カバー材２０は少なくとも一つの分割部３１に設けられている。
【００１２】
＜建築板＞
図２は建築板１０の正面図を示している。建築板１０は略平板に形成されている。また建築板１０は窯業系材料で形成されている。窯業系材料はセメントを主成分とする水硬性材料の硬化物である。建築板１０は木製又はプラスチック製であってもよい。
【００１３】
建築板１０は曝露部１１と非曝露部１２とを有している。曝露部１１は、建築板１０を施工した状態で他の建築板１０で覆われずに露出する部分である。図２の建築板１０では、曝露部１１は、建築板１０を正面から見た場合に、略菱形に形成されている。非曝露部１２は、建築板１０を施工した状態で他の建築板１０で覆われて露出しない部分である。
【００１４】
曝露部１１は一枚の建築板１０に複数設けられており、複数の曝露部１１は、建築板１０を正面から見た場合に、横方向に並んでいる。各曝露部１１の先端縁（下端縁）は建築板１０を正面から見た場合に、略Ｖ字状に形成されている。隣り合う曝露部１１の間には切欠部１３が設けられている。図２に示されている建築板１０は三個の曝露部１１を有しているが、これに限らず、曝露部１１は一枚の建築板１０に対して一個又は二個であってもよいし、四個以上であってもよい。そして、図１に示す露出部３０は横方向に並ぶ複数の建築板１０の曝露部１１で形成され、一つの分割部３１は一つの曝露部１１で形成される。
【００１５】
なお、ここでは、複数の分割部３１を有する建築板１０を使用した場合について説明したが、これに限らず、分割部３１を有していない建築板を用いてもよい。この場合、建築板は、正面視で横長の矩形状などに形成される。
【００１６】
＜化粧カバー材の一例＞
図３Ａは化粧カバー材２０の正面図を示している。化粧カバー材２０は金属製であって、例えば、無塗装鋼板、塗装鋼板、溶融亜鉛めっき鋼板、ステンレス鋼板、アルミ板等の金属板を加工して形成される。この化粧カバー材２０の厚みは、例えば０．２〜０．４ｍｍである。化粧カバー材２０はカバー部２１と、保持片２２と、引っ掛け片２３とを備えている。
【００１７】
カバー部２１は化粧カバー材２０を正面から見た場合に五角形に形成されており、カバー部２１の先端縁（下端縁）は、曝露部１１と同様に、略Ｖ字状に形成されている。保持片２２はカバー部２１の先端縁の二辺それぞれに沿って設けられている。図３Ｃのように、保持片２２はカバー部２１の裏面側に折り返して形成されており、カバー部２１と保持片２２との間の寸法は曝露部１１の厚みと略同じである。図３Ｂのように、カバー部２１の上端縁には引っ掛け片２３が設けられている。引っ掛け片２３はカバー部２１の裏面側に突出するように形成されており、図３Ｄのように、カバー部２１と引っ掛け片２３との間の角度は約６０°に形成されている。引っ掛け片２３はカバー部２１の上端縁の全長に沿って設けられている。
【００１８】
本実施の形態において、化粧カバー材２０のカバー部２１は建築板１０の露出部３０の曝露部１１と正面視で同形状部分を有しているが、これに限らない。すなわち、化粧カバー材２０のカバー部２１は建築板１０の露出部３０と正面視で同形状あっても良いし、異形状であっても良い。つまり、カバー部２１は、露出部３０の全体を覆う形状を有していても良いし、露出部３０の一部を覆う形状を有していても良い。
【００１９】
＜施工方法＞
まず、複数の建築板１０を壁下地５０に順次固定していく。複数の建築板１０は横一列に固定した後、その列の上側にさらに別の複数の建築板１０を横一列に固定するようにして施工される。上下に隣接する建築板１０は、下側の建築板１０の非曝露部１２の表面に、上側の建築板１０の曝露部１１が重ねられた状態となっている。従って、上側の建築板１０の曝露部１１で下側の建築板１０の非曝露部１２が覆われることになる。このように、複数の建築板１０は下から上に向かって一列ずつ施工されていくが、その途中で、化粧カバー材２０は所望の位置に固定される。
【００２０】
図４Ａに示すように、化粧カバー材２０は、施工途中において、最も上側で横一列に並ぶ建築板１０に固定することができる。この場合、化粧カバー材２０は建築板１０に接着固定される。すなわち、化粧カバー材２０の裏面に接着剤を塗布した後、化粧カバー材２０を建築板１０の表面に配置することによって、化粧カバー材２０を建築板１０に接着固定することができ、これにより、建築板１０からの化粧カバー材２０の脱落が生じにくくなる。
【００２１】
また化粧カバー材２０は建築板１０に差込固定される。すなわち、化粧カバー材２０のカバー部２１と保持片２２との間に建築板１０の曝露部１１の下端縁を差し込むことによって、化粧カバー材２０を建築板１０に差込固定することができ、これにより、下側の建築板１０を施工した後でも化粧カバー材２０の固定が可能となる。さらには、建築板１０が経年劣化により割れ等が生じても、この化粧カバー材２０を重ねることにより、補修すると共に意匠性を高めることが可能となる。
【００２２】
さらに化粧カバー材２０は建築板１０の上端に引っ掛け固定される。すなわち、化粧カバー材２０の引っ掛け片２３を建築板１０の上端縁に弾性的に引っ掛けることによって、化粧カバー材２０を建築板１０に引っ掛け固定することができ、これにより、化粧カバー材２０の固定が簡単に行える。
【００２３】
また化粧カバー材２０は釘やビスなどの固着具により建築板１０に固定されてもよい。この場合、図５に示すように、化粧カバー材２０のカバー部２１には複数の孔部２４が横方向に並べて設けられていることが好ましい。これにより、化粧カバー材２０に固着具が打ち込みやすくなる。なお、孔部２４の位置は化粧カバー材２０を施工した後に上側の建築板１０で覆われる部分に設けることができる。また化粧カバー材２０を固定する固着具で、その化粧カバー材２０が配設される建築板１０を壁下地５０に固定してもよい。この場合、化粧カバー材２０の固定と建築板１０の固定とを同時に行うことができて、作業性が向上する。また、化粧カバー材２０が固着具によって壁下地に固定されることにより、化粧カバー材２０の裏側の建築板１０が割れ等によって固着具から脱落しても、この化粧カバー材２０によりその落下を防ぐことが可能となる。
【００２４】
このようにして図４Ｂに示すように、一又は複数の化粧カバー材２０を建築板１０に固定することができる。
【００２５】
上記のように化粧カバー材２０を固定した後、図６Ａに示すように、化粧カバー材２０を固定した列の建築板１０のさらに上側に建築板１０を固定する。そして、図６Ｂに示すように、複数の建築板を横一列に固定していく。このようにして所望の位置に化粧カバー材２０を配置しながら複数の建築板１０を施工することにより、図１のような外壁を形成することができる。この建築板１０の施工構造は、上下に隣接する建築板１０において、上側の建築板１０の曝露部１１で下側の建築板１０の非曝露部１２が重ねられて鎧張り施工されているが、下側の建築板１０には上側の建築板１０の曝露部１１で覆われない露出部３０が形成されている。この露出部３０は、横方向に並ぶ複数の下側の建築板１０の曝露部１１で形成されており、露出部３０は切欠部１３により左右に複数に分割された複数の分割部３１を有することになる。そして、上記のように施工した化粧カバー材２０は少なくとも一つの分割部３１に設けられることになる。
【００２６】
本実施形態の建築板１０の施工構造では、分割部３１をカバー部２１で覆って、その分割部３１における外観を他の分割部３１における外観と異ならせることが可能である。従って、化粧カバー材２０が設けられた分割部３１における外観が、他の分割部３１における外観と異なり、色々なバリエーションの意匠が簡単に形成可能である。色々なバリエーションの意匠を形成するにあたって、化粧カバー材２０の色彩を複数にしたり、化粧カバー材２０の施工位置をランダムにしたりすることができる。
【００２７】
＜化粧カバー材の他例＞
図７に示す化粧カバー材２０ａは、図３Ａに示す化粧カバー材２０に対して、カバー部２１の上側略半分の両側部が切除されているものである。従って、化粧カバー材２０ａは化粧カバー材２０に対してカバー部２１の上部が上下方向に細長く形成されている。
【００２８】
図７に示す化粧カバー材２０ａでは、上側の建築板１０で覆われるカバー部２１の上部を細長く形成しているので、図３の化粧カバー材２０よりも材料コストを少なくしても、図１に示す外壁と同様の外観を形成することができる。
【符号の説明】
【００２９】
１０  建築板
２０  化粧カバー材
２１  カバー部
３０  露出部
３１  分割部
【図１】
2019078091.tif 000003
【図２】
2019078091.tif 000004
【図３】
2019078091.tif 000005
【図４】
2019078091.tif 000006
【図５】
2019078091.tif 000007
【図６】
2019078091.tif 000008
【図７】
2019078091.tif 000009